(57)【特許請求の範囲】
【請求項１】
遊技盤ユニット、ガラス枠、外枠の少なくともいずれかにおける所定のポジションから単数または複数の他のポジションに移動部材を介して移動可能な役物を備えており、
所定のポジションおよび単数または複数の他のポジションにおいて役物に対して給電可能となっている遊技機であって、
所定のポジションおよび単数または複数の他のポジションにおける役物に対する給電は、役物に備えられた受電部と、遊技盤ユニット、ガラス枠、外枠の少なくともいずれかに備えられた給電部と、の非接触または接触によって行われており、
所定のポジションにおける役物および単数または複数の他のポジションにおける役物は、移動部材に支持されることなく遊技盤ユニット、ガラス枠、外枠の少なくともいずれかにのみ支持されている遊技機。
【請求項２】
請求項１に記載の遊技機であって、
所定のポジションおよび単数または複数の他のポジションから外れた移動過程における役物に対する給電は、移動部材によって行われる遊技機。
【発明の詳細な説明】
【技術分野】
【０００１】
本発明は、遊技機に関し、詳しくは、遊技盤ユニット、ガラス枠、外枠の少なくともいずれかにおける所定のポジションから単数または複数の他のポジションに移動部材を介して移動可能な役物を備えており、所定のポジションおよび単数または複数の他のポジションにおいて役物に対して給電可能となっている遊技機に関する。
【背景技術】
【０００２】
従来、パチンコ機等の遊技機において、その演出効果を高めるために役物が遊技盤に組み付けられた移動部材（例えば、アーム、橋ゲタ等の可動装置）を介して移動するものが既に知られている。ここで、下記特許文献１には、役物に電気品が備えられているパチンコ機が開示されている。これにより、パチンコ機の演出効果をより高めることができる。したがって、遊技者の遊技意欲を向上させることができる。
【先行技術文献】
【特許文献】
【０００３】
【特許文献１】特開２０１３−６６７３２号公報
【発明の概要】
【発明が解決しようとする課題】
【０００４】
しかしながら、上述した特許文献１の技術では、役物に対する給電は配線（ケーブル）によって行われている。このように配線によって行われていると、給電ポイント（給電の源）は１箇所になるため、この配線の都合上、役物の演出（動き）に限界が生じることとなっていた。すなわち、配線の都合上、役物をダイナミックに（大きく）演出させることができなかった。
【０００５】
本発明は、このような課題を解決しようとするもので、その目的は、役物をダイナミックに演出させることができる遊技機を提供することである。
【課題を解決するための手段】
【０００６】
本発明は、上記の目的を達成するためのものであって、以下のように構成されている。
請求項１に記載の発明は、遊技盤ユニット、ガラス枠、外枠の少なくともいずれかにおける所定のポジションから単数または複数の他のポジションに移動部材を介して移動可能な役物を備えた遊技機である。この遊技機は、所定のポジションおよび単数または複数の他のポジションにおいて役物に対して給電可能となっている。この所定のポジションおよび単数または複数の他のポジションにおける役物に対する給電は、役物に備えられた受電部と、遊技盤ユニット、ガラス枠、外枠の少なくともいずれかに備えられた給電部と、の非接触または接触によって行われている。また、この所定のポジションにおける役物および単数または複数の他のポジションにおける役物は、移動部材に支持されることなく遊技盤ユニット、ガラス枠、外枠の少なくともいずれかにのみ支持されている。
【０００７】
請求項１の発明によれば、役物に対する給電において、従来技術で説明した給電とは異なり、配線（ケーブル）そのものを必要とすることがない。したがって、役物の演出（動き）に限界が生じることがない。すなわち、役物をダイナミックに（大きく）演出させることができる。
【０００８】
また、請求項２に記載の発明は、請求項１に記載の遊技機であって、所定のポジションおよび単数または複数の他のポジションから外れた移動過程における役物に対する給電は、移動部材によって行われる。
【０００９】
請求項２の発明によれば、役物に対する給電を効率よく実施できる。
【図面の簡単な説明】
【００１０】
【図１】実施例に係るパチンコ機の斜視図である。
【図２】図１の分解図である。
【図３】図２の演出装置の拡大図である。
【図４】図３の演出装置の分解図である。
【図５】図１の演出装置の電気的な構成を説明するブロック図である。
【図６】図３の演出装置の動作を説明するフロー図である。
【図７】図６の初期状態を説明する模式図である。
【図８】図６のステップＳ２の動作を説明する模式図である。
【図９】図６のステップＳ３の動作を説明する模式図である。
【図１０】図６のステップＳ４の動作を説明する模式図である。
【図１１】図６のステップＳ５の動作を説明する模式図である。
【図１２】図６のステップＳ６の動作を説明する模式図である。
【図１３】図６のステップＳ７の動作を説明する模式図である。
【発明を実施するための形態】
【００１１】
以下、本発明を実施するための形態を、図１〜１３を用いて説明する。まず、図１〜２を参照して、本発明の実施例に係る遊技機１の全体構成を説明する。なお、遊技機１の例としてパチンコ機１を説明することとする。
【００１２】
パチンコ機１は、主として、パチンコホールにおける遊技島のベース（いずれも図示しない）に組み付けられる外枠２と、この外枠２に対して開閉可能にヒンジ結合される内枠３と、この内枠３に対して組み付けられる遊技盤ユニット４と、この内枠３に対して開閉可能にヒンジ結合されるガラス枠５とから構成されている。
【００１３】
この遊技盤ユニット４は、遊技盤４ａと、この遊技盤４ａの裏面に組み付けられる演出装置４ｂとから構成されている。ここで、この演出装置４ｂについて詳述すると、この演出装置４ｂは、ケース１０と、このケース１０の凹面１２に組み付けられたアーム５０と、このケース１０またはアーム５０が掴み可能な役物７０とから構成されている（図３〜４参照）。以下に、これらケース１０とアーム５０と役物７０とを個別に説明していく。
【００１４】
はじめに、ケース１０から説明する。このケース１０の凹面１２には、その板厚を貫通するように矩形の開口１４が形成されている。また、この凹面１２の裏面側には、開口１４を塞ぐようにモニタ１６が組み付けられている。このモニタ１６により、例えば、大当たりの抽選結果の図柄を表示できる。
【００１５】
また、このケース１０の凹面１２における開口１４の上縁（時計の１２時に対応する箇所）には、第１の給電部２０が設けられている。この第１の給電部２０は、後述する役物７０の受電部７２に対して近接することによって給電可能な非接触式の給電ユニットである。すなわち、後述するように、このケース１０の第１のチャック２２が役物７０を掴んだ状態になると、この掴んだ役物７０に対して第１の給電部２０から非接触によって給電可能となっている。
【００１６】
また、このケース１０の凹面１２における第１の給電部２０の近傍には、一対の挟持爪２２ａ、２２ｂから成る第１のチャック２２が枢着されている。この第１のチャック２２は、その一対の挟持爪２２ａ、２２ｂが遠ざかったり近づいたりするように第１の給電部２０の近傍に対して開閉可能に枢着されている。なお、この枢着は、ケース１０の凹面１２における開口１４の上縁の近傍に組み付けられたサーボモータ２２ｃ、２２ｄを介して行われている。
【００１７】
これにより、この第１のチャック２２の開状態にある一対の挟持爪２２ａ、２２ｂを後述する役物７０の第１の被挟持部７４の一対の被挟持穴７４ａ、７４ｂに挿し込んで閉状態にすると、この第１のチャック２２が役物７０を掴むことができる。このように第１のチャック２２が役物７０を掴むポジションを第１のポジションＰ１と記すこととする。この「第１のポジションＰ１」が、特許請求の範囲に記載の「所定のポジション」に相当する。これとは逆に、この閉状態にある一対の挟持爪２２ａ、２２ｂを開状態に戻すと、この掴んだ役物７０を放すことができる。
【００１８】
また、このケース１０の凹面１２における開口１４の右縁（時計の３時に対応する箇所）には、第２の給電部３０が設けられている。この第２の給電部３０も、第１の給電部２０と同様に、後述する役物７０の受電部７２に対して近接することによって給電可能な非接触式の給電ユニットである。すなわち、後述するように、このケース１０の第２のチャック３２が役物７０を掴んだ状態になると、この掴んだ役物７０に対して第２の給電部３０から非接触によって給電可能となっている。
【００１９】
また、このケース１０の凹面１２における第２の給電部３０の近傍には、一対の挟持爪３２ａ、３２ｂから成る第２のチャック３２が枢着されている。この第２のチャック３２は、その一対の挟持爪３２ａ、３２ｂが遠ざかったり近づいたりするように第２の給電部３０の近傍に対して開閉可能に枢着されている。なお、この枢着は、ケース１０の凹面１２における開口１４の右縁の近傍に組み付けられたサーボモータ３２ｃ、３２ｄを介して行われている。
【００２０】
これにより、この第２のチャック３２の開状態にある一対の挟持爪３２ａ、３２ｂを後述する役物７０の第１の被挟持部７４の一対の被挟持穴７４ａ、７４ｂに挿し込んで閉状態にすると、この第２のチャック３２が役物７０を掴むことができる。このように第２のチャック３２が役物７０を掴むポジションを第２のポジションＰ２と記すこととする。この「第２のポジションＰ２」が、特許請求の範囲に記載の「単数または複数の他のポジション」に相当する。これとは逆に、この閉状態にある一対の挟持爪３２ａ、３２ｂを開状態に戻すと、この掴んだ役物７０を放すことができる。
【００２１】
また、このケース１０の凹面１２における開口１４の下縁（時計の６時に対応する箇所）には、第３の給電部４０が設けられている。この第３の給電部４０も、第１の給電部２０や第２の給電部３０と同様に、後述する役物７０の受電部７２に対して近接することによって給電可能な非接触式の給電ユニットである。すなわち、後述するように、このケース１０の第３のチャック４２が役物７０を掴んだ状態になると、この掴んだ役物７０に対して第３の給電部４０から非接触によって給電可能となっている。
【００２２】
また、このケース１０の凹面１２における第３の給電部４０の近傍には、一対の挟持爪４２ａ、４２ｂから成る第３のチャック４２が枢着されている。この第３のチャック４２は、その一対の挟持爪４２ａ、４２ｂが遠ざかったり近づいたりするように第３の給電部４０の近傍に対して開閉可能に枢着されている。なお、この枢着は、ケース１０の凹面１２における開口１４の下縁の近傍に組み付けられたサーボモータ４２ｃ、４２ｄを介して行われている。
【００２３】
これにより、この第３のチャック４２の開状態にある一対の挟持爪４２ａ、４２ｂを後述する役物７０の第１の被挟持部７４の一対の被挟持穴７４ａ、７４ｂに挿し込んで閉状態にすると、この第３のチャック４２が役物７０を掴むことができる。このように第３のチャック４２が役物７０を掴むポジションを第３のポジションＰ３と記すこととする。この「第３のポジションＰ３」が、特許請求の範囲に記載の「単数または複数の他のポジション」に相当する。これとは逆に、この閉状態にある一対の挟持爪４２ａ、４２ｂを開状態に戻すと、この掴んだ役物７０を放すことができる。ケース１０は、このように構成されている。
【００２４】
次に、アーム５０を説明する。このアーム５０は、基端がケース１０の凹面１２に対して枢着されたメインアーム５２と、このメインアーム５２の先端に対して基端が枢着されたサブアーム５４とから構成されている。このサブアーム５４の先端には、一対の挟持爪５６ａ、５６ｂから成るチャック５６が組み付けられている。このチャック５６は、その一対の挟持爪５６ａ、５６ｂが遠ざかったり近づいたりするようにサブアーム５４の先端に対して開閉可能に組み付けられている。
【００２５】
なお、このメインアーム５２の基端は、ケース１０の凹面１２の裏側に組み付けられたサーボモータ５２ａを介してケース１０の凹面１２に対して枢着されている。また、このサブアーム５４の基端は、メインアーム５２の基端に組み付けられたサーボモータ５４ａを介してメインアーム５２の先端に対して枢着されている。これにより、アーム５０（メインアーム５２とサブアーム５４）を個別に作動させることができるため、チャック５６を所望する位置に移動させることができる。
【００２６】
また、このチャック５６は、その一対の挟持爪５６ａ、５６ｂがサーボモータ５６ｃ、５６ｄを介してサブアーム５４の先端に対して開閉可能に枢着されている。これにより、このチャック５６開状態にある一対の挟持爪５６ａ、５６ｂを後述する役物７０の第２の被挟持部７６の一対の被挟持穴７６ａ、７６ｂに挿し込んで閉状態にすると、このチャック５６が役物７０を掴むことができる。これとは逆に、この閉状態にある一対の挟持爪５６ａ、５６ｂを開状態に戻すと、この掴んだ役物７０を放すことができる。アーム５０は、このように構成されている。
【００２７】
最後に、役物７０を説明する。役物７０は、パチンコ機１の演出効果を高めるための部材である。この役物７０には、受電部７２が設けられている。この受電部７２は、既に説明したように、上述した各給電部２０、３０、４０に対して近接することによって受電可能なものである。
【００２８】
また、この役物７０の外周面には、上述した一対の被挟持穴７４ａ、７４ｂから成る第１の被挟持部７４と、上述した一対の被挟持穴７６ａ、７６ｂから成る第２の被挟持部７６とが形成されている。また、この役物７０には、電気品としての電飾９０が備えられている。この電飾９０は、受電部７２に対して電気的に接続されている。これらケース１０とアーム５０と役物７０とから演出装置４ｂは構成されている。
【００２９】
ここで、この演出装置４ｂの電気的な構成を説明すると、この演出装置４ｂのケース１０には、所定のプログラムが記憶されている制御装置８０が組み付けられている。この制御装置８０は、上述した各サーボモータ２２ｃ、２２ｄ、３２ｃ、３２ｄ、４２ｃ、４２ｄ、５２ａ、５４ａ、５６ｃ、５６ｄと各給電部２０、３０、４０とに対して電気的に接続されている（図５参照）。
【００３０】
続いて、上述したパチンコ機１の制御装置８０の動作を説明する（図６〜１３参照）。この動作の説明にあたって、第１のポジションＰ１にセットされている役物７０を第２のポジションＰ２に移動させる例を説明することとする。そのため、予め、役物７０は作業者によって第１のポジションＰ１にセットされている（図７参照）。このポジションＰ１の状態では、役物７０（受電部７２）に対して第１の給電部２０から給電されている。
【００３１】
このように給電されていると、この給電は、アーム５０を介することなくケース１０から直に行われることとなる。なお、どのポジションにセットされている役物７０をどのポジションに移動させても、これからする説明と同様であるため、この説明を行うことで、役物７０の他の移動の説明を省略することとする。まず、役物７０の移動開始の信号（移動開始信号）を受け付ける（ステップＳ１）。
【００３２】
次に、図８に示すように、初期位置にあるアーム５０のチャック５６が第１のポジションＰ１にある役物７０を掴みに行く（ステップＳ２）。次に、図９に示すように、アーム５０のチャック５６が役物７０を掴み、その後、第１のチャック２２が役物７０を放す（ステップＳ３）。次に、図１０に示すように、第１のポジションＰ１にあるアーム５０が第２のポジションＰ２に役物７０を放しに行く（ステップＳ４）。
【００３３】
次に、図１１に示すように、第２のチャック３２が役物７０を掴み、その後、アーム５０が役物７０を放す（ステップＳ５）。これにより、役物７０がポジションＰ２に移動することとなる。このポジションＰ２に移動した状態では、役物７０（受電部７２）に対して第２の給電部３０から給電されている。このように給電されていると、この給電も、アーム５０を介することなくケース１０から直に行われることとなる。
【００３４】
次に、図１２に示すように、第２のポジションＰ２にあるアーム５０が初期位置に戻って行く（ステップＳ６）。最後に、図１３に示すように、アーム５０が初期位置に戻って完了する（ステップＳ７）。なお、これらステップＳ２〜Ｓ６が行われる各タイミングは、制御装置８０が移動開始信号を受け付けた時から所定時間後にそれぞれ実行されるように、予め、制御装置８０のプログラムによって決められている。
【００３５】
本発明の実施例に係るパチンコ機１は、上述したように構成されている。この構成によれば、役物７０は、例えば、遊技盤ユニット４における第１のポジションＰ１から第２のポジションＰ２にアーム５０を介して移動可能になっている。また、この第１のポジションＰ１において、役物７０に対して第１の給電部２０から給電されている。また、これと同様に、この第２のポジションＰ２において、役物７０に対して第２の給電部３０から給電されている。このように給電されていると、この給電は、アーム５０を介することなく遊技盤ユニット４から直に行われることとなる。そのため、この給電では、従来技術で説明した給電とは異なり、配線（ケーブル）そのものを必要とすることがない。したがって、役物７０の演出（動き）に限界が生じることがない。すなわち、役物７０をダイナミックに（大きく）演出させることができる。
【００３６】
また、この構成によれば、役物７０に対する給電は、遊技盤ユニット４の演出装置４ｂから直に行われている。そのため、例えば、遊技盤ユニット４にモニタ１６を組み付けておくと、この組み付けたモニタ１６の傍で役物７０に対する給電を実施できる。したがって、モニタ１６で表示される演出と給電されている役物７０の演出とを絡めることができるため、この役物７０の演出に興趣性をもたせることができる。
【００３７】
また、この構成によれば、役物７０に対する給電は、例えば、遊技盤ユニット４から直に行われていないときでも、アーム５０から実施可能となっている。そのため、役物７０に対する給電を効率よく実施できる。
【００３８】
上述した内容は、あくまでも本発明の一実施の形態に関するものであって、本発明が上記内容に限定されることを意味するものではない。
【００３９】
実施例では、ケース１０から行われる給電は、非接触式である形態を説明した。しかし、これに限定されるものでなく、ケース１０から行われる給電は、接触式であっても構わない。その場合、ケース１０の第１の給電部２０、第２の給電部３０、第３の給電部４０に替えて雌コネクタまたは雄コネクタを設け、役物７０の受電部７２に替えて雄コネクタまたは雌コネクタを設けることとなる。
【００４０】
また、実施例では、各ポジションＰ１、Ｐ２、Ｐ３において、役物７０（受電部７２）に対して各給電部２０、３０、４０から給電させる形態を説明した。しかし、これに限定されるものでなく、役物７０に対する給電は、遊技盤ユニット４、ガラス枠５、外枠２の少なくともいずれかから直に行われていないときでも、アーム５０から実施可能となっていても構わない。その場合、サブアーム５４の先端に給電部を備えた形態となる。
【００４１】
また、実施例では、役物７０には、電気品としての電飾９０が備えられている形態を説明した。しかし、これに限定されるものでなく、電気品に蓄電体が備えられていても構わない。その場合、この蓄電体は充電可能となっている。
【００４２】
また、実施例では、役物７０に対する給電は、アーム５０を介することなく遊技盤ユニット４（演出装置４ｂ）から直に行われている形態を説明した。しかし、これに限定されるものでなく、役物７０に対する給電は、アーム５０を介することなくガラス枠５、外枠２のいずれかから直に行われている形態でも構わない。もちろん、役物７０に対する給電は、移動部材を介することなく遊技盤ユニット４、ガラス枠５、外枠２の少なくとも２者の間（例えば、遊技盤ユニット４とガラス枠５との間）を跨ぐ格好で直に行われていても構わない。
【００４３】
その場合、役物７０は、移動部材を介して遊技盤ユニット４、ガラス枠５、外枠２の少なくとも２者の間（例えば、遊技盤ユニット４とガラス枠５との間）を跨ぐ格好で移動可能となっている。なお、図１からも明らかなように、ガラス枠５は上皿５ａを備えている。そのため、ここで言うガラス枠５とは、ガラス枠５そのものであっても構わないし、上皿５ａであっても構わない。
【符号の説明】
【００４４】
１      パチンコ機（遊技機）
４      遊技盤ユニット
５０    アーム（移動部材）
７０    役物
Ｐ１    第１のポジション（所定のポジション）
Ｐ２    第２のポジション（他のポジション）
Ｐ３    第３のポジション（他のポジション）
【図１】
0006629037.tif 000002
【図２】
0006629037.tif 000003
【図３】
0006629037.tif 000004
【図４】
0006629037.tif 000005
【図５】
0006629037.tif 000006
【図６】
0006629037.tif 000007
【図７】
0006629037.tif 000008
【図８】
0006629037.tif 000009
【図９】
0006629037.tif 000010
【図１０】
0006629037.tif 000011
【図１１】
0006629037.tif 000012
【図１２】
0006629037.tif 000013
【図１３】
0006629037.tif 000014